(57)【特許請求の範囲】
【請求項１】
顔への装着時に口及び鼻を覆うマスク本体と、前記マスク本体の左右の両脇のそれぞれに設けられ、顔への装着時に左右の両耳のそれぞれに引っ掛けられる左右一対の引掛け部と、を備えているマスクに取り付けられた上で顔に装着され、電子機器と無線で通信することで前記電子機器に音声信号を入力する音声入力装置であって、
前記マスク本体を覆う装置本体を備え、
前記装置本体は、該装置本体の左右の両脇のそれぞれに、前記左右一対の引掛け部のそれぞれが挿通される挿通部を有していることを特徴とする
音声入力装置。
【請求項２】
前記装置本体は、前記マスク本体を模した形状を有していることを特徴とする
請求項１に記載の音声入力装置。
【請求項３】
前記装置本体は、顔を包み込むような、厚みを有している曲面を含んでいることを特徴とする
請求項１又は２に記載の音声入力装置。
【請求項４】
前記装置本体は、少なくとも一部が湾曲可能であることを特徴とする
請求項１〜３のいずれかに記載の音声入力装置。
【請求項５】
前記装置本体は、前記マスク本体を介して口に面する位置に通気孔を有していることを特徴とする
請求項１〜４のいずれかに記載の音声入力装置。
【請求項６】
前記装置本体は、
それぞれが、マイクロフォン及び無線通信部を収容可能とする筐体からなり、前記左右一対の挿通部を有している左右一対の本体側方部材と、
湾曲可能で、かつ、厚みを有している曲面からなり、前記左右一対の本体側方部材を互いに連結している本体中央部材と、を備えていることを特徴とする
請求項１〜５のいずれかに記載の音声入力装置。
【発明の詳細な説明】
【技術分野】
【０００１】
本発明は、マスクに取り付けられる音声入力装置に関する。
【背景技術】
【０００２】
特許文献１には、スマートフォンやタブレット等の携帯情報端末に対して音声信号の入力を行ういくつかの音声入力装置が開示されている。これらの音声入力装置は、「装着者の口を覆うように装着された、可撓性を備えるマスクに沿って延在し、前記マスクを前記装着者の口から離間させるフレームと、前記フレームに支持され、前記装着者の発する音声を検出し音声信号に変換して出力する音声検出装置と、前記フレームに支持され、前記音声検出装置から出力された音声信号を外部に送信する送信装置とを有し、前記フレームは、前記音声検出装置を前記装着者の口から離間した位置に支持する」ものである。
【先行技術文献】
【特許文献】
【０００３】
【特許文献１】特開２０１７−０５０５９４号公報
【発明の概要】
【発明が解決しようとする課題】
【０００４】
特許文献１に開示されている多くの音声入力装置は、不織布マスクのようにプリーツを有するマスクにのみ取付け可能であり、布マスクのようにプリーツを有さないマスクには取付け不能である。また、特許文献１には、布マスクのようにプリーツを有さないマスクに取付け可能な音声入力装置も開示されているが、当該音声入力装置は、留め具や固定具を必要とするものであり、マスクへの取付け及びマスクからの取外しが容易ではない。さらに、特許文献１には、マスクに取り付けずにマスクと一緒に使用する音声入力装置も開示されているが、当該音声入力装置は、両耳に掛けるフレームを必要とするものであり、マスクと一体に取り扱うことができない。
【０００５】
本発明は、上記課題を鑑みてなされたものであり、プリーツの有無に関係なくマスクに取付け可能で、かつ、マスクへの取付け及びマスクからの取外しが容易な音声入力装置を提供することを目的とする。
【課題を解決するための手段】
【０００６】
（１）本発明は、顔への装着時に口及び鼻を覆うマスク本体と、前記マスク本体の左右の両脇のそれぞれに設けられ、顔への装着時に左右の両耳のそれぞれに引っ掛けられる左右一対の引掛け部と、を備えているマスクに取り付けられた上で顔に装着され、電子機器と無線で通信することで前記電子機器に音声信号を入力する音声入力装置であって、前記マスク本体を覆う装置本体を備え、該装置本体の左右の両脇のそれぞれに、前記左右一対の引掛け部のそれぞれが挿通される挿通部を有していることを特徴とする音声入力装置である。
【０００７】
上記発明によれば、マスクにおける左右一対の引掛け部のそれぞれを左右一対の挿通部に挿通するだけで、プリーツの有無に関係なくマスクに取付け可能であり、マスクへの取付けが容易である。そして、上記発明によれば、マスクへ取り付けられている音声入力装置は、マスクにおける左右一対の引掛け部のそれぞれが左右一対の挿通部に挿通されているだけであるので、マスクからの取外しが容易である。また、上記発明によれば、マスクに取り付けた上で顔に装着した時に、装置本体がマスク本体を覆うことになるので、傍から見て、音声入力装置を装着していることが容易に把握することができる。
【０００８】
（２）本発明はまた、前記装置本体は、前記マスク本体を模した形状を有していることを特徴とする上記（１）に記載の音声入力装置である。
【０００９】
上記発明によれば、装置本体が、マスク本体を模した形状を有しているので、マスクに取り付けた上で顔に装着した時に、傍から見て、違和感がない。
【００１０】
（３）本発明はまた、前記装置本体は、顔を包み込むような、厚みを有している曲面を含んでいることを特徴とする上記（１）又は（２）に記載の音声入力装置である。
【００１１】
上記発明によれば、装置本体が、顔を包み込むような、厚みを有している曲面を含んでいるので、マスクに取り付けた上で顔に装着した時に、マスク及び顔にフィットさせることができる。
【００１２】
（４）本発明はまた、前記装置本体は、少なくとも一部が湾曲可能であることを特徴とする上記（１）〜（３）のいずれかに記載の音声入力装置である。
【００１３】
上記発明によれば、装置本体が、少なくとも一部が湾曲可能であるので、マスクに取り付けた上で顔に装着した時に、マスク及び顔にフィットさせることができる。
【００１４】
（５）本発明はまた、前記装置本体は、前記マスク本体を介して口に面する位置に通気孔を有していることを特徴とする上記（１）〜（４）のいずれかに記載の音声入力装置である。
【００１５】
上記発明によれば、装置本体が、マスク本体を介して口に面する位置に通気孔を有しているので、呼吸を阻害せず、かつ、声を遮断することがない。
【００１６】
（６）本発明はまた、前記装置本体は、それぞれが、マイクロフォン及び無線通信部を収容可能とする筐体からなり、前記左右一対の挿通部を有している左右一対の本体側方部材と、湾曲可能で、かつ、厚みを有している曲面からなり、前記左右一対の本体側方部材を互いに連結している本体中央部材と、を備えていることを特徴とする上記（１）〜（５）のいずれかに記載の音声入力装置である。
【００１７】
上記発明によれば、装置本体が、湾曲可能で、かつ、厚みを有している曲面からなる本体中央部材を備えているので、マスクに取り付けた上で顔に装着した時に、マスク及び顔にフィットさせることができる。
【発明の効果】
【００１８】
本発明の上記（１）〜（６）に記載の音声入力装置によれば、プリーツの有無に関係なくマスクに取付け可能で、かつ、マスクへの取付け及びマスクからの取外しが容易である。
【図面の簡単な説明】
【００１９】
【図１】本発明の実施形態に係る音声入力装置の正面図である。
【図２】図１に示す音声入力装置の外観斜視図である。
【図３】図１に示す音声入力装置及びスマートフォンの機能ブロック図である。
【図４】図１に示す音声入力装置がマスクに取り付けられた状態を表す使用状態図である。
【図５】図１に示す音声入力装置がマスクに取り付けられた上で顔に装着された状態を表す使用状態図である。
【発明を実施するための形態】
【００２０】
以下、図面を参照して、本発明の実施形態に係る音声入力装置について詳細に説明する。
【００２１】
まず、図１〜図５を用いて、音声入力装置１の構成について説明する。図１は、本発明の実施形態に係る音声入力装置１の正面図である。図２は、図１に示す音声入力装置１の外観斜視図である。図３は、図１に示す音声入力装置１及びスマートフォンＳＰの機能ブロック図である。図４は、図１に示す音声入力装置１がマスクＭＳに取り付けられた状態を表す使用状態図である。図５は、図１に示す音声入力装置１がマスクＭＳに取り付けられた上で顔に装着された状態を表す使用状態図である。
【００２２】
図１〜図５に示す音声入力装置１は、オンライン化及びデジタル化が急速に進む世界における新しいコミュニケーションデバイスである。この音声入力装置１は、マスク型のデバイスであり、マスクＭＳに取り付けられた上で顔に装着され、外部の電子機器と無線で通信することで当該電子機器に音声信号を入力する。
【００２３】
マスクＭＳとしては、家庭用マスクが想定されるが、医療用マスク及び産業用マスク等、他のマスクが除外されることはない。家庭用マスクとしては、ガーゼマスクと呼ばれる平型マスク、及び不織布マスクと呼ばれるプリーツ型マスクが想定されるが、いわゆる立体型マスク等、他のマスクが除外されることはない。具体的に、マスクＭＳは、マスク本体Ｍ１と、左右一対の紐（引掛け部）Ｓ１，Ｓ２と、を備えている。マスク本体Ｍ１は、顔への装着時に口及び鼻を覆う。左右一対の紐Ｓ１，Ｓ２は、マスク本体Ｍ１の左右の両脇のそれぞれに設けられ、顔への装着時に左右の両耳のそれぞれに引っ掛けられる。
【００２４】
外部の電子機器としては、スマートフォンＳＰ及びタブレット端末等が想定されるが、ゲーム端末及びテレビ受像機等、他の電子機器が除外されることはない。また、外部の電子機器としては、音声入力装置１を装着した者が使用する電子機器であってもよいし、音声入力装置１を装着した者とコミュニケーションをとる相手が使用する電子機器であってもよい。無線通信の規格としては、Bluetooth（登録商標）が想定されるが、赤外線通信等、他の無線通信の規格が除外されることはない。
【００２５】
音声信号が入力された外部の電子機器では、例えば、音声を文字にすること、別の言語（例えば、音声が日本語の場合、次の８か国語（英語、中国語、フランス語、韓国語、インドネシア語、タイ語、スペイン語、ベトナム語））に翻訳すること、議事録を作成すること等、音声に関するあらゆることを実現する。当然のこととして、音声入力装置１によれば、本出願人が開発したロボットに音声信号を入力することで、当該ロボットに指示を出すことができる。現在の音声入力装置１及び外部の電子機器においては、音と文字のみが取り扱われるが、今後は、画像系（ＡＲ及びＶＲ等）への発展が見込まれる。
【００２６】
具体的に、音声入力装置１は、装置本体２と、マイクロフォン６と、無線通信部７と、電源８と、を備えている。
【００２７】
装置本体２は、マスク本体Ｍ１を模した形状を有していて、マスク本体Ｍ１の全体を外側（前方側）から覆うものであり、当該装置本体２の左右の両脇のそれぞれに、左右一対の紐Ｓ１，Ｓ２のそれぞれが挿通される挿通部４０，５０を有している。具体的に、装置本体２は、本体中央部材３と、左右一対の本体側方部材４，５と、を備えている。
【００２８】
本体中央部材３は、湾曲可能で、かつ、顔を包み込むような、厚みを有している曲面からなり、左右一対の本体側方部材４，５を互いに連結している。この本体中央部材３は、マスク本体Ｍ１を介して口に面する位置に多数の通気孔３０を有している。このような本体中央部材３は、例えば、シリコーン製である。
【００２９】
左右一対の本体側方部材４，５は、それぞれが、マイクロフォン６、無線通信部７及び電源８を収容可能とする筐体からなり、左右一対の挿通部４０，５０を有している。左右一対の挿通部４０，５０は、それぞれ、縁に沿って縦に延びているスリットであり、当該左右一対の挿通部４０，５０には、左右一対の紐Ｓ１，Ｓ２のそれぞれが挿通される。なお、スリットである左右一対の挿通部４０，５０は、それらの中間部分のそれぞれに切欠き部（図示省略）を設け、それらの切欠き部から左右一対の紐Ｓ１，Ｓ２が左右一対の挿通部４０，５０に装着されたり、それらの切欠き部から、左右一対の挿通部４０，５０に挿通されている左右一対の紐Ｓ１，Ｓ２が脱離されたりするようにしてもよい。右側の本体側方部材４は、外側の上方に電源ボタン４１を有していると共に、マイクロフォン６、無線通信部７及び電源８を収容している。左側の本体側方部材５は、中が空である。このような左右一対の本体側方部材４，５は、例えば、プラスチック製である。
【００３０】
マイクロフォン６は、音声を音声信号（電気信号）に変換して、その音声信号を無線通信部７に送信する。無線通信部７は、スマートフォンＳＰと無線で通信することで、当該スマートフォンＳＰに音声信号を入力する。電源８は、電源ボタン４１の操作でオン及びオフが切り換えられ、オンの場合に、マイクロフォン６及び無線通信部７に電力を与える。この電源８は、ボタン電池等の交換可能な電池でもよいし、充電可能なバッテリでもよい。
【００３１】
このように、上述した音声入力装置１は、顔への装着時に口及び鼻を覆うマスク本体Ｍ１と、マスク本体Ｍ１の左右の両脇のそれぞれに設けられ、顔への装着時に左右の両耳のそれぞれに引っ掛けられる左右一対の紐Ｓ１，Ｓ２と、を備えているマスクＭＳに取り付けられた上で顔に装着され、スマートフォンＳＰと無線で通信することでスマートフォンＳＰに音声信号を入力する。この音声入力装置１は、マスク本体Ｍ１を覆う装置本体２を備え、装置本体２は、当該装置本体２の左右の両脇のそれぞれに、左右一対の紐Ｓ１，Ｓ２のそれぞれが挿通される挿通部４０，５０を有している。
【００３２】
したがって、上述した音声入力装置１によれば、マスクＭＳにおける左右一対の紐Ｓ１，Ｓ２のそれぞれを左右一対の挿通部４０，５０に挿通するだけで、プリーツの有無に関係なくマスクＭＳに取付け可能であり、マスクＭＳへの取付けが容易である。そして、上記発明によれば、マスクＭＳへ取り付けられている音声入力装置１は、マスクＭＳにおける左右一対の紐Ｓ１，Ｓ２のそれぞれが左右一対の挿通部４０，５０に挿通されているだけであるので、マスクＭＳからの取外しが容易である。また、上記発明によれば、マスクＭＳに取り付けた上で顔に装着した時に、装置本体２がマスク本体Ｍ１を覆うことになるので、傍から見て、音声入力装置１を装着していることが容易に把握することができる。
【００３３】
また、上述した音声入力装置１において、装置本体２は、マスク本体Ｍ１を模した形状を有している。
【００３４】
したがって、上述した音声入力装置１によれば、装置本体２が、マスク本体Ｍ１を模した形状を有しているので、マスクＭＳに取り付けた上で顔に装着した時に、傍から見て、違和感がない。
【００３５】
また、上述した音声入力装置１において、装置本体２は、顔を包み込むような、厚みを有している曲面を含んでいる。
【００３６】
したがって、上述した音声入力装置１によれば、装置本体２が、顔を包み込むような、厚みを有している曲面を含んでいるので、マスクＭＳに取り付けた上で顔に装着した時に、マスクＭＳ及び顔にフィットさせることができる。
【００３７】
また、上述した音声入力装置１において、装置本体２は、少なくとも一部が湾曲可能である。
【００３８】
したがって、上述した音声入力装置１によれば、装置本体２が、少なくとも一部が湾曲可能であるので、マスクＭＳに取り付けた上で顔に装着した時に、マスクＭＳ及び顔にフィットさせることができる。
【００３９】
また、上述した音声入力装置１において、装置本体２は、マスク本体Ｍ１を介して口に面する位置に通気孔３０を有している。
【００４０】
したがって、上述した音声入力装置１によれば、装置本体２が、マスク本体Ｍ１を介して口に面する位置に通気孔３０を有しているので、呼吸を阻害せず、かつ、声を遮断することがない。
【００４１】
また、上述した音声入力装置１において、装置本体２は、それぞれが、マイクロフォン６及び無線通信部７を収容可能とする筐体からなり、左右一対の挿通部４０，５０を有している左右一対の本体側方部材４，５と、湾曲可能で、かつ、厚みを有している曲面からなり、左右一対の本体側方部材４，５を互いに連結している本体中央部材３と、を備えている。
【００４２】
したがって、上述した音声入力装置１によれば、装置本体２が、湾曲可能で、かつ、厚みを有している曲面からなる本体中央部材３を備えているので、マスクＭＳに取り付けた上で顔に装着した時に、マスクＭＳ及び顔にフィットさせることができる。
【００４３】
要するに、上述した音声入力装置１によれば、プリーツの有無に関係なくマスクに取付け可能で、かつ、マスクへの取付け及びマスクからの取外しが容易である。
【００４４】
本発明は、上記実施形態に限られるものではなく、その趣旨及び技術思想を逸脱しない範囲で種々の変形が可能である。
【符号の説明】
【００４５】
１  音声入力装置
２  装置本体
３  本体中央部材
４  本体側方部材（筐体）
４０  挿通部
４１  電源ボタン
５  本体側方部材（筐体）
５０  挿通部
６  マイクロフォン
７  無線通信部
８  電源
ＳＰ  スマートフォン（電子機器）
ＭＳ  マスク
Ｍ１  マスク本体
Ｓ１，Ｓ２  紐（引掛け部）
【要約】
【課題】プリーツの有無に関係なくマスクに取付け可能で、かつ、マスクへの取付け及びマスクからの取外しが容易な音声入力装置を提供する。
【解決手段】音声入力装置１は、顔への装着時に口及び鼻を覆うマスク本体Ｍ１と、このマスク本体Ｍ１の左右の両脇のそれぞれに設けられ、顔への装着時に左右の両耳のそれぞれに引っ掛けられる左右一対の紐Ｓ１，Ｓ２と、を備えているマスクＭＳに取り付けられ、スマートフォンと無線で通信することでスマートフォンに音声信号を入力する。この音声入力装置１は、マスク本体Ｍ１を覆う装置本体２を備え、この装置本体２は、当該装置本体２の左右の両脇のそれぞれに、左右一対の紐Ｓ１，Ｓ２のそれぞれが挿通される挿通部４０，５０を有している。
【選択図】図４【図１】
0006867723.tif 000002
【図２】
0006867723.tif 000003
【図３】
0006867723.tif 000004
【図４】
0006867723.tif 000005
【図５】
0006867723.tif 000006